(57)【特許請求の範囲】
【請求項１】
下部走行体上に旋回自在に搭載された上部旋回体の後端部にカウンタウェイトが搭載され、このカウンタウェイトは、上面が開口したケースと、このケース内に上記上面開口から挿入されて上下積層状態で収容される複数のウェイトを具備し、かつ、上記ケースにカメラ等の機器類が装備される建設機械のカウンタウェイト装置において、上記ケースの周壁に、機器類設置部をケース内側に突出して設ける一方、上記各ウェイトのうち上記機器類設置部に対面するケース内空間を通って挿入されるウェイトに、上記挿入時に上記機器類設置部が嵌まり込む凹部を設け、上記機器類設置部に機器類を設置し、
上記機器類設置部を上記ケース周壁におけるケース底面よりも高い上下方向の一部に形成するとともに、この機器類設置部の下方に、上記機器類設置部に設置された機器類としての電気機器につながる電気配線が通される上下方向に延びる配線空間を形成したことを特徴とする建設機械のカウンタウェイト装置。
【請求項２】
上記機器類設置部を上記ケース周壁の上端部に設けたことを特徴とする請求項１記載の建設機械のカウンタウェイト装置。
【請求項３】
上記機器類設置部を上記ケースの背面壁に設けたことを特徴とする請求項１又は２に記載の建設機械のカウンタウェイト装置。
【請求項４】
上記機器類設置部を、上記ケース周壁の外面に開口する開口部を備えた、ケース外から見て凹みとして形成したことを特徴とする請求項１〜３のいずれか１項に記載の建設機械のカウンタウェイト装置。
【請求項５】
上記機器類設置部の開口部を塞ぐカバーを上記ケースに着脱可能に取付けたことを特徴とする請求項４記載の建設機械のカウンタウェイト装置。
【請求項６】
上記カバーに、上記機器類設置部に設置された機器類を外部に臨ませる窓穴を設けたことを特徴とする請求項５記載の建設機械のカウンタウェイト装置。
【請求項７】
上記ケース周壁に切欠を設けるとともに、ケース周壁の内側における上記切欠が設けられた位置に内枠を、ケース内側に上記機器類設置部が上記切欠を開口部として形成される状態で設けたことを特徴とする請求項４〜６のいずれか１項に記載の建設機械のカウンタウェイト装置。
【請求項８】
上記切欠を上記ケース底面よりも高位置に設ける一方、上記内枠を上下方向に延びる柱状に形成し、この内枠を、ケース内側に上記機器類設置部及び上記配線空間が形成される状態でケース内側に設けたことを特徴とする請求項７記載の建設機械のカウンタウェイト装置。
【請求項９】
上記ケースの内側において上記機器類設置部の下方または上方に形成される余剰空間に補助ウェイトを設けたことを特徴とする請求項１〜８のいずれか１項に記載の建設機械のカウンタウェイト装置。
【請求項１０】
下部走行体上に旋回自在に搭載された上部旋回体の後端部にカウンタウェイトが搭載され、このカウンタウェイトは、上面が開口したケースと、このケース内に上記上面開口から挿入されて上下積層状態で収容される複数のウェイトを具備し、かつ、上記ケースにカメラ等の機器類が装備される建設機械のカウンタウェイト装置において、上記ケースの周壁におけるケース底面よりも高い位置に切欠を設けるとともに、ケース周壁の内側における上記切欠が設けられた位置に、上下方向に延びる柱状の内枠を設け、上記切欠と内枠によって、ケース外面に開口する開口部を備えかつケース内側に突出する機器類設置部と、この機器類設置部の下方で上下方向に延びる配線空間を形成し、上記機器類設置部に電気機器を設置するとともに、上記機器類設置部の下方または上方に形成される余剰空間に補助ウェイトを設け、かつ、この電気機器につながる電気配線を上記配線空間に通す一方、上記各ウェイトに、上記挿入時に上記内枠が嵌まり込んでウェイトの位置決め及び挿入ガイド作用を行う凹部を設けたことを特徴とする建設機械のカウンタウェイト装置。
【発明の詳細な説明】
【技術分野】
【０００１】
本発明はショベル等の建設機械に装備されるカウンタウェイト装置に関するものである。
【背景技術】
【０００２】
ショベルを例にとって背景技術を説明する。
【０００３】
ショベルは、図１４に示すように下部走行体１上に上部旋回体２が旋回自在に搭載され、この上部旋回体２の前部に作業アタッチメント３が装着されて構成される。
【０００４】
上部旋回体２には、前部左側にキャビン４が搭載されるとともに、後端部に負荷モーメントに対抗するためのカウンタウェイト装置５が取付けられる。
【０００５】
なお、この明細書中の「左右」「前後」は、キャビン４内に着座したオペレータから見た方向性をいう。
【０００６】
カウンタウェイト装置５は、カウンタウェイト６の後端かつ上端部に必要な機器類７が設置されて成っている。
【０００７】
ここでは、機器類７として、図１５に拡大して示すようにショベルの後進時や旋回時の安全確認のための後方監視カメラ７ａ(以下、単にカメラという)、及び夜間作業時の照明となる作業灯７ｂが設置された場合を例示している。
【０００８】
大型ショベルの場合、カウンタウェイト６として、輸送時の重量制限に対応するために積層型のものが用いられる。
【０００９】
この積層型カウンタウェイト６は、上面が開口した四角箱状のケース８と、このケース８内に上面開口から挿入されて上下積層状態で収容される複数(ここでは上下二段の場合で説明する)のウェイト９，１０とによって構成され、ショベル輸送時に分解される(特許文献１参照)。
【００１０】
この積層型カウンタウェイト６を用いるカウンタウェイト装置５(以下、積層型カウンタウェイト装置という場合がある)における機器類７の設置構造として、従来は、図１５に示すようにケース背面壁の上端部外面にＬ字形のブラケット１１を上向きかつ後向きに取付け、このブラケット１１に機器類７(カメラ７ａ、作業灯７ｂ)を取付ける構造が実施されている(以下、この技術を公知技術の１という)。
【００１１】
この公知技術の１において、機器類７と、キャビン内のモニタや電源等とを接続する電気配線１２は、ケース８の外面に沿って配索されている。
【００１２】
一方、カウンタウェイト全体が一体物で構成された一体型カウンタウェイト装置において、特許文献２に示されているようにカウンタウェイト背面の上部に凹部を設け、ここに機器類を設置したものが公知である(以下、公知技術の２という)。
【先行技術文献】
【特許文献】
【００１３】
【特許文献１】特開２０１０−１０６６１３号公報
【特許文献２】特開２００８−１８４７８９号公報
【発明の概要】
【発明が解決しようとする課題】
【００１４】
上記公知技術の１によると、機器類７がカウンタウェイト外に大きく突出して設けられるため、作業中、他物との接触によって損傷するおそれがあった。
【００１５】
また、カウンタウェイト６の組立・分解時(ウェイト９，１０の挿入、取り出し時)にも、荷振れ等によってウェイト９，１０が機器類７と接触し損傷するおそれがあった。
【００１６】
この場合、組立・分解時の損傷防止のために予め機器類７を取外すとすると、組立・分解の作業能率が著しく悪くなり、現実的でない。
【００１７】
なお、公知技術の２の、カウンタウェイトに凹部を設けてここに機器類を設置する構造を積層型カウンタウェイト装置に転用できれば上記問題を解決できると考えられる。
【００１８】
しかし、積層型カウンタウェイト装置の場合、カウンタウェイト６(上段のウェイト９)に凹部を設けると、ケース８内に下段ウェイト１０のみを収容した状態、またはウェイト無しで作業する軽作業時に機器類(カメラ７ａ、作業灯７ｂ)の機能が失われてしまうという弊害が生じる。
【００１９】
また、ケース８に凹部を内向きに突出して設けるとすると、この凹部の内向き突出分、カウンタウェイト６全体の前後サイズを縮小しなければならないため、カウンタウェイト６の大幅な減量となり、重作業時に必要なカウンタウェイト機能が果たせなくなる。
【００２０】
そこで本発明は、積層型カウンタウェイトを用いることを前提として、機器類の機能喪失やカウンタウェイトの大幅な減量といった弊害を招くことなく、機器類を損傷のおそれのない状態で設置することができる建設機械のカウンタウェイト装置を提供するものである。
【課題を解決するための手段】
【００２１】
上記課題を解決する手段として、本発明においては、下部走行体上に旋回自在に搭載された上部旋回体の後端部にカウンタウェイトが搭載され、このカウンタウェイトは、上面が開口したケースと、このケース内に上記上面開口から挿入されて上下積層状態で収容される複数のウェイトを具備し、かつ、上記ケースにカメラ等の機器類が装備される建設機械のカウンタウェイト装置において、上記ケースの周壁に、機器類設置部をケース内側に突出して設ける一方、上記各ウェイトのうち上記機器類設置部に対面するケース内空間を通って挿入されるウェイトに、上記挿入時に上記機器類設置部が嵌まり込む凹部を設け、上記機器類設置部に機器類を設置し、上記機器類設置部を上記ケース周壁におけるケース底面よりも高い上下方向の一部に形成するとともに、この機器類設置部の下方に、上記機器類設置部に設置された機器類としての電気機器につながる電気配線が通される上下方向に延びる配線空間を形成したものである。
【００２２】
この構成によれば、機器類設置部をケース内側に突出して設け、機器類を、カウンタウェイト組立・分解時のウェイトを含めた他物と接触するおそれのないケース内側に設置するため、機器類の損傷を防止することができる。
【００２３】
また、カウンタウェイトのケースに機器類を設置するため、ウェイトに設置する場合と異なり、ウェイトを減らし、あるいは取り出した状態での作業時にも機器類の機能が喪失するおそれがない。
【００２４】
一方、カウンタウェイトを構成するウェイトに、ケース内への挿入時に機器類設置部が嵌まり込む逃げ用の凹部を設けたから、いいかえれば凹部以外ではウェイトの前後方向寸法を縮小する必要がないため、カウンタウェイト全体の減量分を最小限に抑えることができる。
【００２５】
しかも、ウェイト挿入時に機器類設置部が凹部に嵌まり込むことによってウェイトの左右及び前後両方向の位置決め作用と振れ止め作用が行われる(分解時には振れ止め作用が行われる)ため、ウェイト組立時及び分解時の作業能率を向上させることができる。
【００２６】
本発明では、上記機器類設置部を上記ケース周壁におけるケース底面よりも高い上下方向の一部に形成するとともに、この機器類設置部の下方に、上記機器類設置部に設置された機器類としての電気機器につながる電気配線が通される上下方向に延びる配線空間を形成している。
【００２７】
このように、機器類設置部を上下方向の一部に設け、その下方に上下方向に延びる配線空間を形成することにより、機器類がカメラや作業灯のような電気機器の場合に、電気配線をカウンタウェイト内に隠蔽配線として通すことができるため、この部分で配線を保護することができる。
【００２８】
この場合、上記機器類設置部を上記ケース周壁の上端部に設けるのが望ましい(請求項２)。
【００２９】
こうすれば、ウェイト挿入時の位置決め及びガイド機能が挿入当初から発揮されるため、とくに組立作業の能率が良いものとなる。
【００３０】
また、カメラや作業灯のように高所に位置するのが望ましい機器類の設置に好適となる。
【００３１】
本発明において、上記機器類設置部を上記ケースの背面壁に設けるのが望ましい(請求項３)。
【００３２】
こうすれば、カメラや作業灯のように機械後方に向けて作用する機器類の設置に好適となる。
【００３３】
さらに本発明においては、上記機器類設置部を、上記ケース周壁の外面に開口する開口部を備えた、ケース外から見て凹みとして形成するのが望ましい(請求項４)。
【００３４】
こうすれば、開口部があることで機器類の設置、メンテナンスが容易となるとともに、カメラや作業灯のように後向きの開口が必要な機器類に好適となる。
【００３５】
本発明において、上記機器類設置部の開口部を塞ぐカバーを上記ケースに着脱可能に取付けるのが望ましい(請求項５，６)。
【００３６】
こうすれば、ケース内側に設置した機器類をさらにカバーによって覆うことができるため、機器類の保護効果がさらに高いものとなる。
【００３７】
この場合、上記カバーに、上記機器類設置部に設置された機器類を外部に臨ませる窓穴を設けるのが望ましい(請求項６)。
【００３８】
こうすれば、カメラや作業灯、警報ブザーのように光や音等の出入り口を要する機器類を設置する場合に好適となる。
【００３９】
本発明においては、請求項４〜６のいずれかの構成を前提として、上記ケース周壁に切欠を設けるとともに、ケース周壁の内側における上記切欠が設けられた位置に内枠を、ケース内側に上記機器類設置部が上記切欠を開口部として形成される状態で設けるのが望ましい(請求項７，８)。
【００４０】
この構成によれば、切欠と内枠によって機器類設置部を簡単に形成することができる。
【００４１】
この場合、上記切欠を上記ケース底面よりも高位置に設ける一方、上記内枠を上下方向に延びる柱状に形成し、この内枠を、ケース内側に上記機器類設置部及び上記配線空間が形成される状態でケース内側に設けるのが望ましい(請求項８)。
【００４２】
この構成によれば、内枠によって機器類設置部と配線空間の双方を同時に形成できるとともに、配線をウェイトに対しても防護することができる。
【００４３】
また、ウェイトガイド作用が内枠の長さ範囲で上下方向に長く行われるため、ガイド作用の実効が高いものとなる。
【００４４】
本発明において、上記ケースの内側において上記機器類設置部の下方または上方に形成される余剰空間に補助ウェイトを設けるのが望ましい(請求項９)。
【００４５】
このようにウェイトの凹部を埋める状態で補助ウェイトを設けることにより、凹部によるウェイトの減量分を補助ウェイトによって補うことができる。このため、カウンタウェイト機能の低下が殆どなくなる。
【００４６】
本発明においては、下部走行体上に旋回自在に搭載された上部旋回体の後端部にカウンタウェイトが搭載され、このカウンタウェイトは、上面が開口したケースと、このケース内に上記上面開口から挿入されて上下積層状態で収容される複数のウェイトを具備し、かつ、上記ケースにカメラ等の機器類が装備される建設機械のカウンタウェイト装置において、上記ケースの周壁におけるケース底面よりも高い位置に切欠を設けるとともに、ケース周壁の内側における上記切欠が設けられた位置に、上下方向に延びる柱状の内枠を設け、上記切欠と内枠によって、ケース外面に開口する開口部を備えかつケース内側に突出する機器類設置部と、この機器類設置部の下方で上下方向に延びる配線空間を形成し、上記機器類設置部に電気機器を設置するとともに、上記機器類設置部の下方または上方に形成される余剰空間に補助ウェイトを設け、かつ、この電気機器につながる電気配線を上記配線空間に通す一方、上記ウェイトに、上記挿入時に上記内枠が嵌まり込んでウェイトの位置決め及び挿入ガイド作用を行う凹部を設けたものである(請求項１０)。
【００４７】
この構成によれば、請求項１，４，７，８，９のすべての効果を得ることができる。
【発明の効果】
【００４８】
本発明によると、積層型カウンタウェイトを用いることを前提として、機器類の機能喪失やカウンタウェイトの大幅な減量といった弊害を招くことなく、機器類を損傷のおそれのない状態で設置することができる。
【図面の簡単な説明】
【００４９】
【図１】本発明の第１実施形態に係るカウンタウェイト装置の斜視図である。
【図２】同装置のカウンタウェイトを構成するケースと、これに取付けられる内枠の斜視図である。
【図３】図２の状態から内枠を取付けた状態の斜視図である。
【図４】図３の状態からウェイトを挿入する段階の斜視図である。
【図５】図３の一部拡大図である。
【図６】図４の一部拡大図である。
【図７】(ａ)は図６の状態からカメラ及び作業灯を取付けた状態、(ｂ)はさらにカバーを装着した状態の各斜視図である。
【図８】組立完了状態で機器類設置部をケース内側から見た斜視図である。
【図９】同平面図である。
【図１０】図９のＸ−Ｘ線断面図である。
【図１１】本発明の第２実施形態に係るカウンタウェイト装置の斜視図である。
【図１２】図１１のＸＩＩ−ＸＩＩ線拡大断面図である。
【図１３】本発明の第３実施形態に係るカウンタウェイト装置の斜視図である。
【図１４】本発明が適用されるショベルと従来の機器類取付構造を示す一部切欠側面図である。
【図１５】図１４の一部拡大図である。
【発明を実施するための形態】
【００５０】
本発明の実施形態を図１〜図１３によって説明する。
【００５１】
実施形態はショベルを適用対象としている。
【００５２】
第１〜第３実施形態において、次の点は図１４，１５に示す従来装置と同じである。
【００５３】
(ｉ)  下部走行体上に旋回自在に搭載された上部旋回体の後端部にカウンタウェイト装置２５Ａ，２５Ｂ，２５Ｃが取付けられる点。
【００５４】
(ｉｉ)  このカウンタウェイト装置２５Ａ，２５Ｂ，２５Ｃは、カウンタウェイト２６の後端かつ上端部に必要な機器類２７(カメラ２７ａと作業灯２７ｂを例示している)が設置されて成る点。
【００５５】
(ｉｉｉ)  カウンタウェイト２６は、上面が開口した四角箱状のケース２８と、このケース２８内に上面開口から挿入されて上下積層状態で収容される複数(ここでは上下二段の場合で説明する)のウェイト２９，３０とから成る積層型カウンタウェイトとして構成されている点。
【００５６】
第１実施形態(図１〜図１０参照)
図１はカウンタウェイト装置２５Ａの組立完了状態、図２〜図４は組立過程をそれぞれ示す。
【００５７】
また、図５〜図７は組立過程ごとの要部の拡大斜視図、図８〜図１０は組立完了状態の要部の拡大斜視図もしくは平面図、または垂直断面図である。
【００５８】
第１実施形態では、ケース背面部の左右方向ほぼ中央部において、背面壁２８ａの上端部に上が開いた四角形の切欠３１が設けられるとともに、この切欠３１が設けられた位置のケース内側に内枠３２が上下方向全長に亘って直立状態で設けられている。
【００５９】
内枠３２は、正面壁の左右両側に側壁が設けられた所謂チャンネル型の柱状に形成され、その上端部が切欠３１の内側を囲い、かつ、両側壁の先端が切欠３１の左右両側でケース背面壁２８ａの内面に当接する状態で取付けられる。
【００６０】
この切欠３１と内枠３２により、ケース背面上端部に機器類設置部３３が、ケース外面に開口する開口部を備え、かつ、ケース内側に突出する(外部から見てケース内側に凹む)空間として形成されるとともに、この機器類設置部３３の下方に、内枠３２とケース背面壁２８ａで囲われた上下方向に延びるトンネル状の配線空間３４(図８〜図１０参照)が形成される。
【００６１】
なお、内枠３２の上端部内面(機器類設置部３３の内面)には、図４，６〜９に示すように機器類２７を取付けるための底板３５、及び図７(ｂ)に示すカバー３６を取付けるためのカバー取付部３７が設けられる。
【００６２】
機器類２７は、図７〜図１０に示すように機器類設置部３３に後方に向けて取付けられ、この機器類２７につながる電気配線３８が配線空間３４を上下方向に通って外部に導出され、上部旋回体を構成するアッパーフレーム等(図示省略)に沿ってキャビン内のモニタ、電源等の接続先まで配索される。
【００６３】
また、機器類設置部３３の下方空間のうち配線空間３４以外の余剰空間に補助ウェイト３９が設けられている。
【００６４】
いいかえれば、機器類設置部３３の下方空間が、配線空間３４を残して補助ウェイト３９によって埋められている。
【００６５】
一方、機器類設置部３３への機器類２７の設置後、図７(ｂ)及び図１０二点鎖線で示すように機器類設置部３３の背面側及び上面側の開口を塞ぐカバー３６がボルト止め等によって着脱可能に取付けられる。
【００６６】
このカバー３６には、機器類２７を外部に臨ませる窓穴３６ａ，３６ｂが設けられ、この窓穴３６ａ，３６ｂにより、カバー装着状態のままカメラ２７ａによる外部撮影及び作業灯２７ｂによる外部照明が可能となる。
【００６７】
カウンタウェイト２６のウェイト２９，３０は、機器類設置後、または設置前にケース２８内に挿入される。
【００６８】
ここで、上下のウェイト２９，３０には、背面部左右方向のほぼ中央部に機器類設置部３３に対応する凹部４０が上下全長に亘って設けられ、ケース２８内へのウェイト２９，３０の挿入時に機器類設置部３３がこの凹部４０に嵌まり込むように構成されている。
【００６９】
これにより、ウェイト挿入時に、ウェイト２９，３０が左右及び前後方向に位置決めされ、かつ、ガイド作用(振れ止め作用)が行われる。
【００７０】
なお、ガイド作用はウェイト２９，３０をケース外に取り出す分解時にも行われる。
【００７１】
このカウンタウェイト装置によると、次の効果を得ることができる。
【００７２】
(Ｉ)  機器類設置部３３をケース背面壁２８ａの内側に突出して設け、機器類２７を、カウンタウェイト組立・分解時のウェイト２９，３０を含めた他物と接触するおそれのないケース内側に設置するため、機器類２７の損傷を防止することができる。
【００７３】
(ＩＩ)  カウンタウェイト２６のケース２８に機器類２７を設置するため、機器類２７を上段ウェイト２９に設置した場合と異なり、同ウェイト２９を取外した状態での作業時にも機器類２７の機能が喪失するおそれがない。
【００７４】
(ＩＩＩ)  カウンタウェイト２６を構成するウェイト２９，３０に、ケース２８内への挿入時に機器類設置部３３が嵌まり込む逃げ用の凹部４０を設けたから、いいかえれば凹部４０以外ではウェイト２９，３０の前後方向寸法を縮小する必要がないため、カウンタウェイト２６全体の減量分を最小限に抑えることができる。
【００７５】
(ＩＶ)  前記のように機器類設置部３３と凹部４０によってウェイト挿入時のウェイト２９，３０の左右及び前後両方向の位置決め作用とガイド(振れ止め)作用が行われる(分解時には振れ止め作用が行われる)ため、ウェイト組立時及び分解時の作業能率を向上させることができる。
【００７６】
なお、ガイド作用がより滑らかに行われるように、図９中に二点鎖線で示すように内枠３２またはウェイト２９，３０の相対向する面にスライディングパッド４１を設けてもよい。
【００７７】
(Ｖ)  機器類設置部３３をケース背面上端部に設けて、その下方に上下方向に延びるトンネル状の配線空間３４を形成し、機器類２７につながる電気配線３８をこの配線空間３４に隠蔽配線として通す構成としているため、電気配線３８を他物との接触から保護して損傷を防止することができる。
【００７８】
(ＶＩ)  ケース背面壁２８ａに切欠３１を設けるとともに、ケース背面壁２８ａの内側における切欠３１が設けられた位置に内枠３２を設けることによってケース内側に機器類設置部３３を形成するため、機器類設置部３３を簡単に形成することができる。
【００７９】
(ＶＩＩ)  柱状の内枠３２を上下全長に亘ってケース内側に設けることによって機器類設置部３３と配線空間３４を同時に形成できるととともに、電気配線３８をウェイト２９，３０に対しても防護することができる。
【００８０】
また、ウェイトガイド作用が内枠３２によって全高に亘って行われるため、ガイド作用の実効が高いものとなる。
【００８１】
(ＶＩＩＩ)  ケース２８の内側において機器類設置部３３の下方に形成される余剰空間に補助ウェイト３９を設けているため、凹部４０によるウェイト２９，３０の減量分を補助ウェイト３９によって補うことができる。このため、カウンタウェイト機能の低下が殆どなくなる。
【００８２】
加えて、第１実施形態によると、機器類設置部３３をケース背面上端部に設けているため、実施形態で挙げたカメラ２７ａや作業灯２７ｂのように高所に位置するのが望ましい機器類の設置に好適となる。
【００８３】
また、 機器類設置部３３を、ケース背面壁２８ａの外面に開口する開口部を備えた、ケース外から見て凹みとして形成しているため、開口部があることで機器類２７の設置、メンテナンスが容易となるとともに、カメラ２７ａや作業灯２７ｂのように後向きの開口が必要な機器類に好適となる。
【００８４】
さらに、機器類設置部３３の開口部を塞ぐカバー３６をケース２８に着脱可能に取付けるため、ケース内側に設置された機器類２７をさらにカバー３６でて覆うことによって機器類２７の保護効果がさらに高いものとなる。
【００８５】
この場合、カバー３６に、機器類２７を外部に臨ませる窓穴３６ａ，３６ｂを設けているため、カメラ２７ａや作業灯２７ｂ、あるいは警報ブザーのように光や音等の出入り口を要する機器類を設置する場合に好適となる。
【００８６】
第２、第３実施形態(図１１〜１３参照)
第１実施形態との相違点のみを説明する。
【００８７】
図１１，１２に示す第２実施形態に係るカウンタウェイト装置２５Ｂにおいては、ケース背面壁２８ａの左右方向ほぼ中央部において、上端部ではなく上下方向中間部に機器類設置部３３が形成されている。
【００８８】
この機器類設置部３３は、ケース背面壁の中間部に四角形の窓穴状の切欠３１を設けるとともに、第１実施形態と同様に柱状の内枠３２をケース内側に上下方向全長に亘って設けることによって形成されている。
【００８９】
また、この機器類設置部３３の下方に配線空間３４が形成されるとともに、この配線空間３４を残して下方の余剰空間に補助ウェイト３９が設けられている。
【００９０】
この場合、機器類設置部３３の上方にも余剰空間が形成されるため、図示のようにここにも補助ウェイト３９を設けるのが望ましい。
【００９１】
カウンタウェイト２６の構成、すなわち、両ウェイト２９，３０に機器類設置部３３に対応する凹部４０が設けられる点は第１実施形態と同じである。
【００９２】
また、第２実施形態の場合、機器類設置部３３よりも上方でのウェイト位置決め及びガイド作用は内枠３２によって行われる。
【００９３】
なお、本発明において、ウェイトの凹部４０は、原理的には、機器類設置部３３に対面するケース内空間を通ってケース２８内に挿入されるウェイト、または同空間を通る部分のみにあればよい。
【００９４】
従って、第２実施形態の変形形態として、上段ウェイト２９の凹部４０を下端から機器類設置部３３までの範囲のみに設けてもよいし、上段ウェイト２９が機器類設置部３３よりも上方に位置する場合には凹部４０を設けない構成をとってもよい。
【００９５】
また、内枠３２も、ウェイト下端から機器類設置部３３までの上下方向範囲のみに設けてもよい。
【００９６】
但し、この構成をとる場合には、ウェイト挿入時の位置決め作用及びガイド作用は、ウェイト２９，３０が機器類設置部３３に達した時点からのみ働く。
【００９７】
図１３に示す第３実施形態にかかるカウンタウェイト装置２５Ｃおいては、ケース背面壁２８ａの左右両側の上端部、つまり左右両側コーナー部に機器類設置部３３，３３が形成され、この両機器類設置部３３，３３に機器類２７が設置されている。
【００９８】
切欠３１と内枠３２によって機器類設置部３３を形成する点は第１実施形態と同じである。但し、切欠３１は、背面壁２８ａと左右両側壁とに跨って設けられる。
【００９９】
この第３実施形態の変形形態として、機器類設置部３３を、第２実施形態のように上下方向の中間部に設けてもよい。
【０１００】
他の実施形態
(１)  機器類設置部３３に設置される機器類は、カメラ、作業灯のほか、警報ブザー、ウェイトの着脱を検出するセンサ等、種々選択することができる。
【０１０１】
また、電気機器以外の機器類を電気機器と併せて、あるいは単独で設置することもできる。
【０１０２】
(２)  設置される機器類の種類等によっては機器類設置部３３をケース下端部に形成してもよい。この場合、ウェイト位置決め及びガイド機能は第１〜第３実施形態と比較して低下する。
【０１０３】
(３)  上記各実施形態では、機器類設置部３３をケース背面側に設けたが、左右両側面または一方の側面に設けてもよい。
【０１０４】
(４)  本発明はショベルに限らず、カウンタウェイト装置を備えた各種建設機械に広く適用することができる。
【符号の説明】
【０１０５】
１  下部走行体
２  上部旋回体
２５Ａ，２５Ｂ，２５Ｃ  カウンタウェイト装置
２６  カウンタウェイト
２７  機器類
２７ａ  機器類としての後方監視カメラ
２７ｂ  同、作業灯
２８  カウンタウェイトを構成するケース
２８ａ  ケース背面壁
２９，３０  カウンタウェイトを構成するウェイト
３１  切欠
３２  内枠
３３  機器類設置部
３４  配線空間
３６  カバー
３６ａ，３６ｂ  カバーの窓穴
３８  電気配線
３９  補助ウェイト
４０  ウェイトの凹部
【図１】
0005870779.tif 000002
【図２】
0005870779.tif 000003
【図３】
0005870779.tif 000004
【図４】
0005870779.tif 000005
【図５】
0005870779.tif 000006
【図６】
0005870779.tif 000007
【図７】
0005870779.tif 000008
【図８】
0005870779.tif 000009
【図９】
0005870779.tif 000010
【図１０】
0005870779.tif 000011
【図１１】
0005870779.tif 000012
【図１２】
0005870779.tif 000013
【図１３】
0005870779.tif 000014
【図１４】
0005870779.tif 000015
【図１５】
0005870779.tif 000016